(57)【要約】【課題】矩形状の底面と、底面から起立する外側面とを有する容器の外側面を一様に清掃することができ、作業者の負担を軽減することができる容器清掃装置の提供。【解決手段】容器清掃装置１は、化粧皿１０を載置する基台２と、化粧皿１０の外側面を清掃する一方用清掃機構３とを備える。一方用清掃機構３は、化粧皿１０の両側に配置された一対の一方用ガイドレール３１，３２と、化粧皿１０を押し出すことによって、一方用ガイドレール３１，３２の間を通過させるプッシャー３３とを備える。一方用ガイドレール３１，３２は、化粧皿１０の外側面に当接し、化粧皿１０の外側面を清掃する清掃ブロック３５を備える。【選択図】図１
2019189358.tif 000002
【特許請求の範囲】
【請求項１】
矩形状の底面と、底面から起立する外側面とを有する容器の外側面を清掃する容器清掃装置であって、
前記容器を載置する載置面を有する基台と、
前記基台に設けられるとともに、前記容器の対向する２組の外側面のうち、いずれか一方の組の外側面を清掃する一方用清掃機構とを備え、
前記一方用清掃機構は、
前記基台の載置面に設けられるとともに、前記一方の組の外側面を挟むようにして前記容器の両側に配置された一対の一方用ガイドレールと、
前記容器を押し出すことによって、前記一方用ガイドレールの間を通過させる一方用押出手段とを備え、
前記一方用ガイドレールは、前記一方の組の外側面に当接し、前記一方の組の外側面を清掃する一方用清掃手段を備えることを特徴とする容器清掃装置。
【請求項２】
請求項１に記載された容器清掃装置において、
前記一方用清掃手段は、前記容器の高さ方向に沿って前記容器の外側面に当接する当接部を先端に有する三角刃状の凹凸面を備えることを特徴とする容器清掃装置。
【請求項３】
請求項１または請求項２に記載された容器清掃装置において、
前記一方用ガイドレールの間を通過する容器の一方の組の外側面と対応する内側面に向かって空気を吐出する一方用エアブローを備えることを特徴とする容器清掃装置。
【請求項４】
請求項１から請求項３のいずれかに記載された容器清掃装置において、
前記基台に設けられるとともに、前記一方の組の外側面に対応する他方の組の外側面を清掃する他方用清掃機構を備え、
前記他方用清掃機構は、
前記一方用ガイドレールと直交する方向に沿って前記基台の載置面に設けられるとともに、前記他方の組の外側面を挟むようにして前記容器の両側に配置された一対の他方用ガイドレールと、
前記容器を押し出すことによって、前記他方用ガイドレールの間を通過させる他方用押出手段とを備え、
前記他方用ガイドレールは、
前記他方の組の外側面に当接し、前記他方の組の外側面を清掃する他方用清掃手段と、
前記一方用押出手段にて押し出された前記容器を前記他方用押出手段にて押し出しを開始する位置で受け止める受止部とを備えることを特徴とする容器清掃装置。
【請求項５】
請求項３に記載された容器清掃装置において、
前記他方用清掃手段は、前記容器の高さ方向に沿って前記容器の外側面に当接する当接部を先端に有する三角刃状の凹凸面を備えることを特徴とする容器清掃装置。
【請求項６】
請求項４または請求項５に記載された容器清掃装置において、
前記他方用ガイドレールの間を通過する容器の他方の組の外側面と対応する内側面に向かって空気を吐出する他方用エアブローを備えることを特徴とする容器清掃装置。
【請求項７】
請求項１から請求項６のいずれかに記載された容器清掃装置において、
前記一方用ガイドレールは、前記一方用清掃機構に搬送されてきた前記容器を前記一方用押出手段にて押し出しを開始する位置で受け止める受止部を備えることを特徴とする容器清掃装置。
【発明の詳細な説明】
【技術分野】
【０００１】
本発明は、矩形状の底面と、底面から起立する外側面とを有する容器の外側面を清掃する容器清掃装置に関する。
【背景技術】
【０００２】
従来、容器に付着した汚れを清掃する容器清掃装置が知られている。例えば、特許文献１に記載された容器清掃装置は、板状の台座部と、所定の間隔を隔てて対向するようにして台座部に設けられた２つのブラシとを備えている。そして、この容器清掃装置は、底面および外側面を有する容器を各ブラシの間に通させることによって、容器の外側面を各ブラシに当接させて清掃している。
【先行技術文献】
【特許文献】
【０００３】
【特許文献１】特開２０１４−１１７５４１号公報
【発明の概要】
【発明が解決しようとする課題】
【０００４】
しかしながら、特許文献１に記載された容器清掃装置は、作業者の手作業によって、容器の外側面を各ブラシに当接させて清掃しているので、作業者の負担は大きくなり、容器の清掃状態にバラつきを生じてしまうという問題がある。
【０００５】
本発明の目的は、矩形状の底面と、底面から起立する外側面とを有する容器の外側面を一様に清掃することができ、作業者の負担を軽減することができる容器清掃装置を提供することである。
【課題を解決するための手段】
【０００６】
本発明の容器清掃装置は、矩形状の底面と、底面から起立する外側面とを有する容器の外側面を清掃する容器清掃装置であって、容器を載置する載置面を有する基台と、基台に設けられるとともに、容器の対向する２組の外側面のうち、いずれか一方の組の外側面を清掃する一方用清掃機構とを備え、一方用清掃機構は、基台の載置面に設けられるとともに、一方の組の外側面を挟むようにして容器の両側に配置された一対の一方用ガイドレールと、容器を押し出すことによって、一方用ガイドレールの間を通過させる一方用押出手段とを備え、一方用ガイドレールは、一方の組の外側面に当接し、一方の組の外側面を清掃する一方用清掃手段を備えることを特徴とする。
【０００７】
このような構成によれば、容器清掃装置は、一方用押出手段にて容器を押し出して一方用ガイドレールの間を通過させることによって、容器の一方の組の外側面に一方用清掃手段を当接させることができ、容器の一方の組の外側面を清掃することができる。したがって、容器清掃装置は、矩形状の底面と、底面から起立する外側面とを有する容器の外側面を一様に清掃することができ、作業者の負担を軽減することができる。
【０００８】
本発明では、一方用清掃手段は、容器の高さ方向に沿って容器の外側面に当接する当接部を先端に有する三角刃状の凹凸面を備えることが好ましい。
【０００９】
ここで、例えば、特許文献１に記載された容器清掃装置のように一方用清掃手段としてブラシを採用すると、ブラシの毛の間に混入した異物等の影響によって、一方用清掃手段は、容器の外側面を十分に清掃することができない場合がある。
これに対して、本発明によれば、一方用清掃手段は、容器の高さ方向に沿って容器の外側面に当接する当接部を先端に有する三角刃状の凹凸面を備えているので、凹凸面の先端の当接部にて掻き取るようにして容器の外側面を確実に清掃することができる。
【００１０】
本発明では、一方用ガイドレールの間を通過する容器の一方の組の外側面と対応する内側面に向かって空気を吐出する一方用エアブローを備えることが好ましい。
【００１１】
このような構成によれば、一方用エアブローは、一方用押出手段にて容器を押し出して一方用ガイドレールの間を通過させることによって、容器の一方の組の外側面と対応する内側面に沿って相対的に移動することができる。したがって、容器清掃装置は、容器の内側面を一様に清掃することができ、作業者の負担を軽減することができる。
【００１２】
本発明では、容器清掃装置は、基台に設けられるとともに、一方の組の外側面に対応する他方の組の外側面を清掃する他方用清掃機構を備え、他方用清掃機構は、一方用ガイドレールと直交する方向に沿って基台の載置面に設けられるとともに、他方の組の外側面を挟むようにして容器の両側に配置された一対の他方用ガイドレールと、容器を押し出すことによって、他方用ガイドレールの間を通過させる他方用押出手段とを備え、他方用ガイドレールは、他方の組の外側面に当接し、他方の組の外側面を清掃する他方用清掃手段と、一方用押出手段にて押し出された容器を他方用押出手段にて押し出しを開始する位置で受け止める受止部とを備えることが好ましい。
【００１３】
このような構成によれば、容器清掃装置は、他方用押出手段にて容器を押し出して他方用ガイドレールの間を通過させることによって、容器の他方の組の外側面に他方用清掃手段を当接させることができ、容器の他方の組の外側面を清掃することができる。したがって、容器清掃装置は、矩形状の底面と、底面から起立する外側面とを有する容器の全ての外側面を一様に清掃することができ、作業者の負担を軽減することができる。
また、他方用ガイドレールは、一方用押出手段にて押し出された容器を他方用押出手段にて押し出しを開始する位置で受け止める受止部を備えているので、容器清掃装置は、一方用清掃機構にて容器の一方の組の外側面を清掃した後、この容器を他方用ガイドレールの受止部にて受け止め、すぐに他方用押出手段にて容器を押し出して他方用ガイドレールの間を通過させることができる。したがって、容器清掃装置は、その利便性を向上させることができる。
【００１４】
本発明では、他方用清掃手段は、容器の高さ方向に沿って容器の外側面に当接する当接部を先端に有する三角刃状の凹凸面を備えることが好ましい。
【００１５】
このような構成によれば、他方用清掃手段は、容器の高さ方向に沿って容器の外側面に当接する当接部を先端に有する三角刃状の凹凸面を備えているので、凹凸面の先端の当接部にて掻き取るようにして容器の外側面を確実に清掃することができる。
【００１６】
本発明では、他方用ガイドレールの間を通過する容器の他方の組の外側面と対応する内側面に向かって空気を吐出する他方用エアブローを備えることが好ましい。
【００１７】
このような構成によれば、他方用エアブローは、他方用押出手段にて容器を押し出して他方用ガイドレールの間を通過させることによって、容器の他方の組の外側面と対応する内側面に沿って相対的に移動することができる。したがって、容器清掃装置は、容器の内側面を一様に清掃することができ、作業者の負担を軽減することができる。
【００１８】
本発明では、一方用ガイドレールは、一方用清掃機構に搬送されてきた容器を一方用押出手段にて押し出しを開始する位置で受け止める受止部を備えることが好ましい。
【００１９】
このような構成によれば、容器清掃装置は、一方用清掃機構に搬送されてきた容器を一方用ガイドレールの受止部にて受け止め、すぐに一方用押出手段にて容器を押し出して一方用ガイドレールの間を通過させることができる。したがって、容器清掃装置は、その利便性を更に向上させることができる。
【図面の簡単な説明】
【００２０】
【図１】本発明の第１実施形態に係る容器清掃装置の上面図
【図２】容器清掃装置の断面図
【図３】容器清掃装置に化粧皿を搬入している状態を示す図
【図４】一方用ガイドレールの受止部にて化粧皿を受け止めた状態を示す図
【図５】一方用清掃機構にて化粧皿の外側面を清掃した状態を示す図
【図６】他方用清掃機構にて化粧皿の外側面を清掃した状態を示す図
【図７】本発明の第２実施形態に係る容器清掃装置の上面図
【図８】一方用エアブローにて化粧皿の内側面を清掃している容器清掃装置の要部を示す図
【発明を実施するための形態】
【００２１】
〔第１実施形態〕
図１は、本発明の第１実施形態に係る容器清掃装置の上面図である。図２は、容器清掃装置の断面図である。
容器清掃装置１は、図１および図２に示すように、矩形状の底面と、底面から起立する外側面とを有する容器としての化粧皿１０の外側面を清掃するための装置である。この化粧皿１０は、容器清掃装置１の上流側（図中左側）に配設された固形化粧料の製造装置Ｍから間欠的に排出される。
なお、図２は、図１の紙面左右方向に沿って化粧皿１０の中央を通るように容器清掃装置１および固形化粧料の製造装置Ｍを切断した断面を示す図である。
【００２２】
ここで、固形化粧料の製造装置Ｍは、ターンテーブルＴの上面に化粧皿１０を載置することによって、所定の回転角ごとに化粧皿１０を間欠的に移動させている。そして、固形化粧料の製造装置Ｍは、化粧皿１０に化粧料を充填する充填装置や、この充填装置にて化粧皿１０に充填された化粧料にプレス処理を施すプレス装置などに化粧皿１０を搬送することによって、化粧皿１０に固形化粧料を収容している。その後、固形化粧料の製造装置Ｍは、エアシリンダＡ１を駆動してアームＡを容器清掃装置１に向かって移動させることによって、容器清掃装置１に化粧皿１０を間欠的に排出している。
【００２３】
容器清掃装置１は、化粧皿１０を載置する載置面２１を有する基台２と、基台２に設けられるとともに、化粧皿１０の対向する２組の外側面のうち、いずれか一方の組の外側面を清掃する一方用清掃機構３と、一方の組の外側面に対応する他方の組の外側面を清掃する他方用清掃機構４とを備えている。
なお、本実施形態では、一方用清掃機構３は、化粧皿１０の底面の短辺を含む外側面の組を一方の組として清掃し、他方用清掃機構４は、化粧皿１０の底面の長辺を含む外側面の組を他方の組として清掃する。
【００２４】
基台２は、矩形状の金属板であり、その板面を貫通するように形成された複数の貫通孔２Ａを有している。
この基台２は、容器清掃装置１およびターンテーブルＴの間に設けられた台座Ｓと、容器清掃装置１の下流側（図中右側）に配設されたベルトコンベアＢとの間に架け渡されている。具体的には、基台２は、台座Ｓ側からベルトコンベアＢ側に向かうにしたがって下降するように水平面に対して傾斜して架け渡されている。換言すれば、基台２の載置面２１は、台座Ｓ側からベルトコンベアＢ側に向かうにしたがって下降するように水平面に対して傾斜している。
【００２５】
したがって、基台２の載置面２１に載置された化粧皿１０は、上方側から下方側（図１の左側から右側）に滑るようにして落下する。
なお、台座Ｓの上面は、ターンテーブルＴの上面および基台２の上端と略同じ高さに設定されている。これによれば、固形化粧料の製造装置Ｍは、アームＡにてターンテーブルＴから基台２に化粧皿１０をスムーズに排出することができる。
【００２６】
一方用清掃機構３は、基台２の載置面２１に設けられ、化粧皿１０の一方の組の外側面を挟むようにして化粧皿１０の両側に配置された一対の一方用ガイドレール３１，３２を備えている。また、一方用清掃機構３は、化粧皿１０を押し出すことによって、一方用ガイドレール３１，３２の間を通過させる一方用押出手段としてのプッシャー３３とを備えている。
一方用ガイドレール３１は、一方用ガイドレール３２よりも長く、基台２を落下し、一方用清掃機構３に搬送されてきた化粧皿１０をプッシャー３３にて押し出しを開始する位置（図１参照）で受け止める受止部３４を備えている。
【００２７】
なお、本実施形態では、一方用ガイドレール３１の一部を受止部３４としているが、一方用清掃機構３に搬送されてきた化粧皿１０をプッシャー３３にて押し出しを開始する位置で受け止めることができれば、どのような構造であってもよい。また、例えば、ロボットアームなどを用いることによって、化粧皿１０を受け止めることなく、プッシャー３３にて押し出しを開始する位置に配置することができる場合には、一方用ガイドレール３１は、受止部３４を備えていなくてもよい。
【００２８】
また、一方用ガイドレール３１，３２は、化粧皿１０の一方の組の外側面に当接し、化粧皿１０の一方の組の外側面を清掃する一方用清掃手段としての清掃ブロック３５を備えている。清掃ブロック３５は、化粧皿１０の高さ方向に沿って化粧皿１０の外側面に当接する当接部を先端に有する三角刃状の凹凸面３５Ａを備えている。この清掃ブロック３５は、所定の板厚を有する樹脂製の板を板厚の分ずらして重ねて貼り合わせることによって構成されている。
【００２９】
他方用清掃機構４は、一方用ガイドレール３１，３２と直交する方向に沿って基台２の載置面２１に設けられ、化粧皿１０の他方の組の外側面を挟むようにして化粧皿１０の両側に配置された一対の他方用ガイドレール４１，４２を備えている。また、他方用清掃機構４は、化粧皿１０を押し出すことによって、他方用ガイドレール４１，４２の間を通過させる他方用押出手段としてのプッシャー４３とを備えている。
他方用ガイドレール４１は、他方用ガイドレール４２よりも長く、プッシャー３３にて押し出された化粧皿１０をプッシャー４３にて押し出しを開始する位置（図１の二点鎖線参照）で受け止める受止部４４を備えている。
【００３０】
なお、本実施形態では、他方用ガイドレール４１の一部を受止部４４としているが、プッシャー３３にて押し出された化粧皿１０をプッシャー４３にて押し出しを開始する位置で受け止めることができれば、どのような構造であってもよい。また、例えば、ロボットアームなどを用いることによって、化粧皿１０を受け止めることなく、プッシャー４３にて押し出しを開始する位置に配置することができる場合には、他方用ガイドレール４１は、受止部４４を備えていなくてもよい。
【００３１】
また、他方用ガイドレール４１，４２は、化粧皿１０の他方の組の外側面に当接し、化粧皿１０の他方の組の外側面を清掃する他方用清掃手段としての清掃ブロック４５を備えている。清掃ブロック４５は、化粧皿１０の高さ方向に沿って化粧皿１０の外側面に当接する当接部を先端に有する三角刃状の凹凸面４５Ａを備えている。この清掃ブロック４５は、所定の板厚を有する樹脂製の板を板厚の分ずらして重ねて貼り合わせることによって構成されている。
【００３２】
なお、本実施形態では、一方用ガイドレール３１，３２および他方用ガイドレール４１，４２は、基台２の載置面２１に固定されている。したがって、一方用ガイドレール３１，３２および他方用ガイドレール４１，４２は、その間隔を調整することはできないが、これを調整することができるように構成してもよい。
また、本実施形態では、一方用清掃手段および他方用清掃手段として清掃ブロック３５，４５を採用しているが、ブラシや、布や、スポンジなどを採用してもよい。要するに、一方用清掃手段は、容器の一方の組の外側面に当接し、容器の一方の組の外側面を清掃することができればよく、他方用清掃手段は、容器の他方の組の外側面に当接し、容器の他方の組の外側面を清掃することができればよい。
【００３３】
図３〜図６は、容器清掃装置にて化粧皿の外側面を清掃する工程を説明する図である。具体的には、図３は、容器清掃装置１に化粧皿１０を搬入している状態を示す図である。図４は、一方用ガイドレール３１の受止部３４にて化粧皿１０を受け止めた状態を示す図である。図５は、一方用清掃機構３にて化粧皿１０の外側面を清掃した状態を示す図である。図６は、他方用清掃機構４にて化粧皿１０の外側面を清掃した状態を示す図である。以下、これらの図を参照して容器清掃装置にて化粧皿の外側面を清掃する工程を説明する。
【００３４】
まず、固形化粧料の製造装置Ｍは、エアシリンダＡ１を駆動してアームＡを容器清掃装置１に向かって移動させることによって、容器清掃装置１に化粧皿１０を間欠的に排出する（図３右向矢印参照）。
【００３５】
固形化粧料の製造装置Ｍから排出された化粧皿１０は、基台２の載置面２１を滑って上方側から下方側に落下していくことになる。
その後、基台２を落下していく化粧皿１０は、図４に示すように、プッシャー３３にて押し出しを開始する位置で一方用ガイドレール３１の受止部３４に受け止められる。
なお、固形化粧料の製造装置Ｍは、エアシリンダＡ１を駆動してアームＡをターンテーブルＴに向かって移動させることによって、次の化粧皿１０を排出すべくアームＡを元の位置に戻す（図４左向矢印参照）。
【００３６】
次に、一方用清掃機構３は、図５に示すように、プッシャー３３にて化粧皿１０を押し出すことによって、一方用ガイドレール３１，３２の間を通過させる（図５下向矢印参照）。そして、プッシャー３３にて押し出された化粧皿１０は、プッシャー４３にて押し出しを開始する位置で他方用ガイドレール４１の受止部４４に受け止められる。
このとき、一方用ガイドレール３１，３２の清掃ブロック３５は、一方の組の外側面に当接し、凹凸面３５Ａの先端の当接部にて掻き取るようにして一方の組の外側面を清掃する。
【００３７】
次に、他方用清掃機構４は、図６に示すように、プッシャー４３にて化粧皿１０を押し出すことによって、他方用ガイドレール４１，４２の間を通過させる（図６右向矢印参照）。これによって、容器清掃装置１は、基台２の載置面２１に載置された化粧皿１０を再び落下させる。
このとき、一方用ガイドレール４１，４２の清掃ブロック４５は、他方の組の外側面に当接し、凹凸面４５Ａの先端の当接部にて掻き取るようにして他方の組の外側面を清掃する。
なお、一方用清掃機構３は、プッシャー４３にて化粧皿１０を押し出す前に、プッシャー３３の位置を元に戻す（図６上向矢印参照）。
【００３８】
そして、基台２から落下した化粧皿１０は、ベルトコンベアＢの搬送路上に載置されて搬出される。
その後、容器清掃装置１は、前述した各工程を繰り返すことによって、固形化粧料の製造装置Ｍから排出された化粧皿１０を繰り返し清掃する。
【００３９】
このような本実施形態によれば、以下の作用・効果を奏することができる。
（１）容器清掃装置１は、プッシャー３３にて化粧皿１０を押し出して一方用ガイドレール３１，３２の間を通過させることによって、化粧皿１０の一方の組の外側面に清掃ブロック３５を当接させることができ、化粧皿１０の一方の組の外側面を清掃することができる。また、容器清掃装置１は、プッシャー４３にて化粧皿１０を押し出して他方用ガイドレール４１，４２の間を通過させることによって、化粧皿１０の他方の組の外側面に清掃ブロック４５を当接させることができ、化粧皿１０の他方の組の外側面を清掃することができる。したがって、容器清掃装置１は、矩形状の底面と、底面から起立する外側面とを有する化粧皿１０の全ての外側面を一様に清掃することができ、作業者の負担を軽減することができる。
【００４０】
（２）清掃ブロック３５，４５は、化粧皿１０の高さ方向に沿って化粧皿１０の外側面に当接する当接部を先端に有する三角刃状の凹凸面３５Ａ，４５Ａを備えているので、凹凸面３５Ａ，４５Ａの先端の当接部にて掻き取るようにして化粧皿１０の外側面を確実に清掃することができる。
【００４１】
（３）他方用ガイドレール４１は、プッシャー３３にて押し出された化粧皿１０をプッシャー４３にて押し出しを開始する位置で受け止める受止部４４を備えているので、容器清掃装置１は、一方用清掃機構３にて化粧皿１０の一方の組の外側面を清掃した後、この化粧皿１０を他方用ガイドレール４１の受止部４４にて受け止め、すぐにプッシャー４３にて化粧皿１０を押し出して他方用ガイドレール４１，４２の間を通過させることができる。したがって、容器清掃装置１は、その利便性を向上させることができる。
【００４２】
（４）一方用ガイドレール３１は、一方用清掃機構３に搬送されてきた化粧皿１０をプッシャー３３にて押し出しを開始する位置で受け止める受止部３４を備えているので、容器清掃装置１は、一方用清掃機構３に搬送されてきた化粧皿１０を一方用ガイドレール３１の受止部３４にて受け止め、すぐにプッシャー３３にて化粧皿１０を押し出して一方用ガイドレール３１，３２の間を通過させることができる。したがって、容器清掃装置１は、その利便性を更に向上させることができる。
【００４３】
（５）基台２は、上方側から下方側に貫通するようにして載置面２１に形成された貫通孔２Ａを有するので、化粧皿１０の外側面を清掃すること等によって、化粧皿１０から脱落した汚れは、貫通孔２Ａを介して基台２から落下していくことになる。したがって、容器清掃装置１は、基台２の載置面２１を清潔に維持することができ、ひいては清掃の効率を向上させることができる。
【００４４】
〔第２実施形態〕
以下、本発明の第２実施形態を図面に基づいて説明する。
なお、以下の説明では、既に説明した部分については、同一符号を付してその説明を省略する。
【００４５】
図７は、本発明の第２実施形態に係る容器清掃装置の上面図である。
本実施形態では、容器清掃装置１Ａは、図７に示すように、一方用ガイドレール３１，３２の上面に取り付けられた一方用エアブロー５と、他方用ガイドレール４１，４２の上面に取り付けられた他方用エアブロー６とを備えている点で前記第１実施形態と異なる。
【００４６】
一方用エアブロー５は、一方用ガイドレール３１，３２の上面に固定された本体部５１と、この本体部５１から基台２の傾斜面に沿って一方用ガイドレール３１，３２の内側に延出した後、基台２の傾斜面と直交する軸に沿って基台２の傾斜面に向かって折れ曲がることによって、一方用ガイドレール３１，３２の間を通過する化粧皿１０の一方の組の外側面と対応する内側面に向かって空気を吐出する２つのノズル５２とを備えている。
なお、本実施形態では、一方用エアブロー５は、一方用ガイドレール３１，３２の上面に取り付けられているが、これ以外の位置に取り付けられていてもよい。要するに、一方用エアブローは、一方用ガイドレールの間を通過する容器の一方の組の外側面と対応する内側面に向かって空気を吐出することができる位置に取り付けられていればよい。
【００４７】
他方用エアブロー６は、他方用ガイドレール４１，４２の上面に固定された本体部６１と、この本体部６１から基台２の傾斜面に沿って他方用ガイドレール４１，４２の内側に延出した後、基台２の傾斜面と直交する軸に沿って基台２の傾斜面に向かって折れ曲がることによって、他方用ガイドレール４１，４２の間を通過する化粧皿１０の一方の組の外側面と対応する内側面に向かって空気を吐出する２つのノズル６２とを備えている。
なお、本実施形態では、他方用エアブロー６は、他方用ガイドレール４１，４２の上面に取り付けられているが、これ以外の位置に取り付けられていてもよい。要するに、他方用エアブローは、他方用ガイドレールの間を通過する容器の一方の組の外側面と対応する内側面に向かって空気を吐出することができる位置に取り付けられていればよい。
【００４８】
図８は、一方用エアブローにて化粧皿の内側面を清掃している容器清掃装置の要部を示す図である。具体的には、図８（Ａ）は、基台２の傾斜面と直交する軸に沿って基台２の上方側から容器清掃装置１Ａの要部を見た図であり、図８（Ｂ）は、紙面左右方向に沿って化粧皿１０の中央を通るように容器清掃装置１Ａの要部を切断した断面図である。
一方用清掃機構３は、図８に示すように、プッシャー３３にて化粧皿１０を押し出すことによって、一方用ガイドレール３１，３２の間を通過させる（図８（Ａ）下向矢印参照）。
このとき、容器清掃装置１Ａは、一方用ガイドレール３１，３２の間を通過する化粧皿１０の一方の組の外側面と対応する内側面に向かって一方用エアブロー５のノズル５２に空気を吐出させることによって、化粧皿１０の一方の組の外側面と対応する内側面を清掃する。具体的には、一方用エアブロー５は、化粧皿１０の内側面に付着しているバリと呼ばれる余分な化粧料を除去する。また、一方用エアブロー５は、清掃ブロック３５の凹凸面３５Ａに付着した汚れを除去する。
【００４９】
なお、図示は省略するが、容器清掃装置１Ａは、他方用ガイドレール４１，４２の間を通過する化粧皿１０の他方の組の外側面と対応する内側面に向かって他方用エアブロー６のノズル６２に空気を吐出させることによって、化粧皿１０の他方の組の外側面と対応する内側面を清掃する。具体的には、他方用エアブロー６は、化粧皿１０の内側面に付着しているバリと呼ばれる余分な化粧料を除去する。また、他方用エアブロー６は、清掃ブロック４５の凹凸面４５Ａに付着した汚れを除去する。
【００５０】
このような本実施形態によれば、前記第１実施形態と同様の作用・効果を奏することができる他、以下の作用・効果を奏することができる。
（６）一方用エアブロー５は、プッシャー３３にて化粧皿１０を押し出して一方用ガイドレール３１，３２の間を通過させることによって、化粧皿１０の一方の組の外側面と対応する内側面に沿って相対的に移動することができる。他方用エアブロー６は、プッシャー４３にて化粧皿１０を押し出して他方用ガイドレール４１，４２の間を通過させることによって、化粧皿１０の他方の組の外側面と対応する内側面に沿って相対的に移動することができる。したがって、容器清掃装置１Ａは、化粧皿１０の内側面を一様に清掃することができ、作業者の負担を軽減することができる。
【００５１】
〔実施形態の変形例〕
なお、本発明は、前記各実施形態に限定されるものではなく、本発明の目的を達成できる範囲での変形、改良等は本発明に含まれるものである。
例えば、前記各実施形態では、容器清掃装置１は、一方用清掃機構３と、他方用清掃機構４とを備えていた。これに対して、容器清掃装置は、一方用清掃装置のみを備えていてもよい。例えば、正方形状の底面と、底面から起立する外側面とを有する容器の外側面を容器清掃装置にて清掃する場合には、容器を回転させて一対の一方用ガイドレールの間を２回通過させてもよい。
【００５２】
前記各実施形態では、基台２の載置面２１は、水平面に対して傾斜していたが、傾斜していなくてもよい。
前記各実施形態では、基台２は、その板面を貫通するように形成された複数の貫通孔２Ａを有していた。これに対して、基台２は、複数の貫通孔２Ａを有していなくてもよい。
【産業上の利用可能性】
【００５３】
以上のように、本発明は、矩形状の底面と、底面から起立する外側面とを有する容器の外側面を清掃する容器清掃装置に好適に利用できる。
【符号の説明】
【００５４】
１          容器清掃装置
２          基台
２Ａ        貫通孔
３          一方用清掃機構
４          他方用清掃機構
５          一方用エアブロー
６          他方用エアブロー
１０        化粧皿（容器）
２１        載置面
３１，３２  一方用ガイドレール
３３        プッシャー（一方用押出手段）
３４        受止部
３５        清掃ブロック（一方用清掃手段）
３５Ａ      凹凸面
４１，４２  他方用ガイドレール
４３        プッシャー（他方用押出手段）
４４        受止部
４５        清掃ブロック（他方用清掃手段）
４５Ａ      凹凸面
５１        本体部
５２        ノズル
６１        本体部
６２        ノズル
【図１】
2019189358.tif 000003
【図２】
2019189358.tif 000004
【図３】
2019189358.tif 000005
【図４】
2019189358.tif 000006
【図５】
2019189358.tif 000007
【図６】
2019189358.tif 000008
【図７】
2019189358.tif 000009
【図８】
2019189358.tif 000010
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
矩形状の底面と、底面から起立する外側面とを有する容器の外側面を清掃する容器清掃装置であって、
前記容器を載置する載置面を有する基台と、
前記基台に設けられるとともに、前記容器の対向する２組の外側面のうち、いずれか一方の組の外側面を清掃する一方用清掃機構とを備え、
前記一方用清掃機構は、
前記基台の載置面に設けられるとともに、前記一方の組の外側面を挟むようにして前記容器の両側に配置された一対の一方用ガイドレールと、
前記容器を押し出すことによって、前記一方用ガイドレールの間を通過させる一方用押出手段とを備え、
前記一方用ガイドレールは、前記一方の組の外側面に当接し、前記一方の組の外側面を清掃する一方用清掃手段を備え、
前記一方用清掃手段は、前記一方用ガイドレールの延長線上に配置されることを特徴とする容器清掃装置。
【請求項２】
請求項１に記載された容器清掃装置において、
前記一方用清掃手段は、前記容器の高さ方向に沿って前記容器の外側面に当接する当接部を先端に有する三角刃状の凹凸面を備えることを特徴とする容器清掃装置。
【請求項３】
請求項１または請求項２に記載された容器清掃装置において、
前記一方用ガイドレールの間を通過する容器の一方の組の外側面と対応する内側面に向かって空気を吐出する一方用エアブローを備えることを特徴とする容器清掃装置。
【請求項４】
請求項１から請求項３のいずれかに記載された容器清掃装置において、
前記基台に設けられるとともに、前記一方の組の外側面に対応する他方の組の外側面を清掃する他方用清掃機構を備え、
前記他方用清掃機構は、
前記一方用ガイドレールと直交する方向に沿って前記基台の載置面に設けられるとともに、前記他方の組の外側面を挟むようにして前記容器の両側に配置された一対の他方用ガイドレールと、
前記容器を押し出すことによって、前記他方用ガイドレールの間を通過させる他方用押出手段とを備え、
前記他方用ガイドレールは、
前記他方の組の外側面に当接し、前記他方の組の外側面を清掃する他方用清掃手段と、
前記一方用押出手段にて押し出された前記容器を前記他方用押出手段にて押し出しを開始する位置で受け止める受止部とを備えることを特徴とする容器清掃装置。
【請求項５】
請求項４に記載された容器清掃装置において、
前記他方用清掃手段は、前記容器の高さ方向に沿って前記容器の外側面に当接する当接部を先端に有する三角刃状の凹凸面を備えることを特徴とする容器清掃装置。
【請求項６】
請求項４または請求項５に記載された容器清掃装置において、
前記他方用ガイドレールの間を通過する容器の他方の組の外側面と対応する内側面に向かって空気を吐出する他方用エアブローを備えることを特徴とする容器清掃装置。
【請求項７】
請求項１から請求項６のいずれかに記載された容器清掃装置において、
前記一方用ガイドレールは、前記一方用清掃機構に搬送されてきた前記容器を前記一方用押出手段にて押し出しを開始する位置で受け止める受止部を備えることを特徴とする容器清掃装置。
【手続補正２】
【補正対象書類名】明細書
【補正対象項目名】０００６
【補正方法】変更
【補正の内容】
【０００６】
本発明の容器清掃装置は、矩形状の底面と、底面から起立する外側面とを有する容器の外側面を清掃する容器清掃装置であって、容器を載置する載置面を有する基台と、基台に設けられるとともに、容器の対向する２組の外側面のうち、いずれか一方の組の外側面を清掃する一方用清掃機構とを備え、一方用清掃機構は、基台の載置面に設けられるとともに、一方の組の外側面を挟むようにして容器の両側に配置された一対の一方用ガイドレールと、容器を押し出すことによって、一方用ガイドレールの間を通過させる一方用押出手段とを備え、一方用ガイドレールは、一方の組の外側面に当接し、一方の組の外側面を清掃する一方用清掃手段を備え、一方用清掃手段は、一方用ガイドレールの延長線上に配置されることを特徴とする。